(57)【要約】【課題】広告を短時間かつ円滑に作成することができるとともに、広告の作成にかかる費用（コスト）を低減することのできる広告作成システムを提供すること。【解決手段】広告作成システム１は、利用者から提供されたチラシ広告情報に基づいてチラシ広告を作成するシステムであって、チラシ広告情報に基づいてチラシ広告データを作成するチラシ広告データ作成手段１５０と、チラシ広告のデータをネットワーク３００を介して利用者に閲覧可能な状態とする閲覧手段（利用者側端末５００）と、利用者側端末５００によって利用者にチラシ広告のデータを閲覧させた状態にて、利用者が指摘した修正ヵ所を修正するチラシ広告データ修正手段とを有する。【選択図】図２
2010015400.tif 000002
【特許請求の範囲】
【請求項１】
利用者から提供されたチラシ広告情報に基づいてチラシ広告を作成する広告作成システムであって、
前記チラシ広告情報に基づいてチラシ広告データを作成するチラシ広告データ作成手段と、
前記チラシ広告データ作成手段により作成された前記チラシ広告のデータをネットワークを介して前記利用者に閲覧可能な状態とする閲覧手段と、
前記閲覧手段によって前記利用者に前記チラシ広告のデータを閲覧させた状態にて、前記利用者が指摘した修正ヵ所を修正するチラシ広告データ修正手段とを有することを特徴とする広告作成システム。
【請求項２】
前記チラシ広告データ作成手段は、前記チラシ広告データ修正手段を兼ねている請求項１に記載の広告作成システム。
【請求項３】
前記利用者が前記ネットワークを介して前記チラシ広告情報を入力することのできるチラシ広告情報入力手段を有し、前記チラシ広告データ作成手段は、前記チラシ広告情報入力手段に入力された前記チラシ広告情報に基づいて前記チラシ広告のデータを作成する請求項１または２に記載の広告作成システム。
【請求項４】
前記チラシ広告データ作成手段により作成されたチラシ広告のデータを印刷用データに変換するデータ変換手段を有している請求項１ないし３のいずれかに記載の広告作成システム。
【請求項５】
前記チラシ広告情報には、チラシ広告に掲載される商品の商品情報が含まれており、
前記チラシ広告の印刷用データに含まれる前記商品情報に基づいて購買時点広告データを作成する購買時点広告データ作成手段を有している請求項４に記載の広告作成システム。
【請求項６】
前記ネットワークを介して、前記購買時点広告データ作成手段により作成された購買時点広告データに基づいて購買時点広告を自動的に印刷する印刷手段を有している請求項５に記載の広告作成システム。
【請求項７】
前記印刷手段は、前記利用者側に設置された印刷装置である請求項６に記載の広告作成システム。
【請求項８】
前記印刷装置を複数有し、
前記チラシ広告情報には、前記購買時点広告を印刷する印刷装置を指定した印刷装置指定情報が含まれ、当該印刷装置指定情報に基づいて、前記複数の印刷装置のうちから前記購買時点広告を印刷する印刷装置を選択する印刷装置選択手段を有している請求項７に記載の広告作成システム。
【発明の詳細な説明】
【技術分野】
【０００１】
本発明は、広告作成システムに関するものである。
【背景技術】
【０００２】
スーパーマーケット、家電量販店、薬局（ドラッグストア）等に貼り出されているＰＯＰ広告や、新聞や雑誌の折り込みチラシ広告等は、例えば、販売店からの依頼を受けた広告作成業者により作成される場合がある。
【０００３】
この際、まず、利用者が広告案（全体的なイメージ）を書面や口頭にて広告作成業者に伝え、その案を認識した広告作成業者が広告作成装置（例えば、特許文献１参照）を用いて広告データを作成する。そして、広告作成業者は、作成した広告データに基づいた広告を印刷した後、その広告を利用者に見せ、利用者の注文通りに作成されているか否かの確認を取る。
【０００４】
広告作成業者は、利用者の注文通りに広告が作成されていなかった場合や、利用者からの修正指示を受けた場合には、作成した広告を修正し、修正した広告を再度利用者に見せ、利用者の確認を取る。広告作成業者は、このような広告の修正を利用者からの最終的な確認が得られるまで繰り返し行う。そして、広告作成業者は、利用者の最終的な確認が得られた後、その広告を所定部数印刷（またはコピー）し利用者に納品する。
【０００５】
上記のような広告作成の流れでは、「広告作成業者による広告の修正」と「利用者による広告の確認」とを同時に行うことができないため、作業効率が悪く、作業時間（広告作成に要する時間）の長時間化を招いてしまう。さらには、作業時間の長時間化に伴う人件費の増加をも招いてしまう。
【０００６】
特に、野菜、果物等の鮮度が重要となる商品を取り扱うスーパーマーケット等では、頻繁に広告を作成する必要があり、このような場合には、利用者からの広告作成依頼を受けてから、その広告が実際に使用されるまでに時間的猶予があまりない場合もある。このように広告作成に時間的猶予があまりない場合には、広告の作成に長時間かかってしまうと、納期に間に合わないなどの大きな問題を招いてしまう。
【０００７】
また、上記のような広告作成の流れでは、広告データを修正する度に広告を印刷し、必要な場合には印刷した広告を利用者に郵送しなければならないため、紙代、インク代等の材料費や、切手代等の送料が嵩んでしまい、広告作成にかかる費用が高くなってしまう。
【０００８】
【特許文献１】特開２０００−２０３１０１号公報
【発明の開示】
【発明が解決しようとする課題】
【０００９】
本発明の目的は、広告を短時間かつ円滑に作成することができるとともに、広告の作成にかかる費用（コスト）を低減することのできる広告作成システムを提供することにある。
【課題を解決するための手段】
【００１０】
このような目的は、下記の本発明により達成される。
（１）  利用者から提供されたチラシ広告情報に基づいてチラシ広告を作成する広告作成システムであって、
前記チラシ広告情報に基づいてチラシ広告データを作成するチラシ広告データ作成手段と、
前記チラシ広告データ作成手段により作成された前記チラシ広告のデータをネットワークを介して前記利用者に閲覧可能な状態とする閲覧手段と、
前記閲覧手段によって前記利用者に前記チラシ広告のデータを閲覧させた状態にて、前記利用者が指摘した修正ヵ所を修正するチラシ広告データ修正手段とを有することを特徴とする広告作成システム。
【００１１】
（２）  前記チラシ広告データ作成手段は、前記チラシ広告データ修正手段を兼ねている上記（１）に記載の広告作成システム。
【００１２】
（３）  前記利用者が前記ネットワークを介して前記チラシ広告情報を入力することのできるチラシ広告情報入力手段を有し、前記チラシ広告データ作成手段は、前記チラシ広告情報入力手段に入力された前記チラシ広告情報に基づいて前記チラシ広告のデータを作成する上記（１）または（２）に記載の広告作成システム。
【００１３】
（４）  前記チラシ広告データ作成手段により作成されたチラシ広告のデータを印刷用データに変換するデータ変換手段を有している上記（１）ないし（３）のいずれかに記載の広告作成システム。
【００１４】
（５）  前記チラシ広告情報には、チラシ広告に掲載される商品の商品情報が含まれており、前記チラシ広告の印刷用データに含まれる前記商品情報に基づいて購買時点広告データを作成する購買時点広告データ作成手段を有している上記（４）に記載の広告作成システム。
【００１５】
（６）  前記ネットワークを介して、前記購買時点広告データ作成手段により作成された購買時点広告データに基づいて購買時点広告を自動的に印刷する印刷手段を有している上記（５）に記載の広告作成システム。
【００１６】
（７）  前記印刷手段は、前記利用者側に設置された印刷装置である上記（６）に記載の広告作成システム。
【００１７】
（８）  前記印刷装置を複数有し、
前記チラシ広告情報には、前記購買時点広告を印刷する印刷装置を指定した印刷装置指定情報が含まれ、当該印刷装置指定情報に基づいて、前記複数の印刷装置のうちから前記購買時点広告を印刷する印刷装置を選択する印刷装置選択手段を有している上記（７）に記載の広告作成システム。
【発明の効果】
【００１８】
本発明によれば、チラシ広告データ作成手段により作成したチラシ広告データをネットワークを介して利用者に閲覧させた状態にて、そのチラシ広告データを修正することができるため、利用者の指示通りにチラシ広告が修正されたか否かの確認を、リアルタイムで（修正とほぼ同時に）行うことができる。そのため、広告作成業者は、利用者の要望通りのチラシ広告を円滑かつ短時間に作成することができる。
【００１９】
また、本発明によれば、利用者の確認を取るために、作成したチラシ広告データに基づいてチラシ広告を印刷したり、郵送したりする必要がないため、チラシ広告作成費用の軽減（コストダウン）を図ることができる。
【００２０】
また、購買時点広告データ作成手段を有している場合には、チラシ広告データのみならず、購買時点広告データをも円滑かつ短時間に作成することができる。購買時点広告データは、チラシ広告の印刷用データに含まれる情報（商品情報）に基づいて作成されるため、同一商品について、チラシ広告に記載された値段と購買時点広告に記載された値段とが異なるという、いわゆる「二重価格（ダブルプライス）」の発生を確実に防止することができる。
【００２１】
また、利用者側に設置された印刷装置から、購買時点広告データに基づいて購買時点広告が自動的に印刷されるよう構成されている場合には、利用者は、手間を掛けずに購買時点広告を得ることができる。そのため、この場合には、利用者の仕事量の軽減およびそれに伴う経費（人件費等）の軽減を図ることができる。
【発明を実施するための最良の形態】
【００２２】
以下、本発明の広告作成システムの好適な実施形態について、添付図面を参照しつつ説明する。
【００２３】
図１は、本発明の好適な実施形態にかかる広告作成システムの基本構成を示す図、図２は、図１に示すサーバ等のハードウェア構成を示すブロック図、図３は、図１に示すサーバの構成を示すブロック図、図４は、広告作成の流れを説明するためのフローチャート、図５は、チラシ広告データ作成手段により作成されるチラシ広告データの一例を示す図、図６は、購買時点広告データ作成手段により作成された購買時点広告の一例を示す図である。
【００２４】
以下、本実施形態の広告作成システム１について詳細に説明するが、説明の便宜上、利用者（クライアント）を本部（販促部）と複数の販売店Ａ、Ｂとで構成された小売業者とする。なお、利用者の構成としてはこれに限定されない。
【００２５】
図１に示すように、広告作成システム１は、２つのサーバ１００、２００と、ネットワーク３００を介してサーバ１００、２００と接続した広告作成会社側端末４００および利用者側端末５００とを有している。
【００２６】
広告作成会社側端末４００は、例えば、広告作成会社内に設置されたパーソナルコンピュータ（パソコン）４１０と、このパソコン４１０に接続された印刷装置（印刷手段）４２０とを備えている。
【００２７】
利用者側端末５００は、本部に設置された本部端末５１０、販売店Ａに設置された販売店Ａ端末５２０および販売店Ｂに設置された端売店Ｂ端末５３０を有している。本部端末５１０は、パソコン５１１と、このパソコン５１１に接続された印刷装置５１２とを備え、同様に、販売店Ａ端末５２０は、パソコン５２１と、このパソコン５２１に接続された印刷装置５２２とを備え、販売店Ｂ端末５３０は、パソコン５３１と、このパソコン５３１に接続された印刷装置５３２とを備えている。
【００２８】
サーバ１００、２００、パソコン４１０、５１１、５２１、５３１は、それぞれ、同様のハードウェア構成をとることができる。このようなサーバ１００、２００、パソコン４１０、５１１、５２１、５３１のハードウェア構成としては、それぞれ、図２に示すようなＣＰＵ（Central Processing Unit）と、ＲＯＭ（Read Only Memory）と、ＲＡＭ（Random Access Memory）と、ＨＤＤ（Hard Disk Drive）と、Ｉ／Ｆ（Interface）と、グラフィック装置と、モニタ（表示画面）と、入力装置（キーボードやマウス）とを備えた公知の構成のものを用いることができる。
【００２９】
図３に示すように、サーバ１００は、インターフェース部１１０と、チラシ広告情報入力手段１２０と、通知手段１３０と、記憶手段１４０と、チラシ広告データ作成手段１５０と、データ変換手段１６０と、購買時点広告データ作成手段（ＰＯＰ広告データ作成手段）１７０とを有している。
【００３０】
インターフェース部１１０は、各種データの送信および受信を行う通信手段（送信手段および受信手段）を構成するものである。
【００３１】
チラシ広告情報入力手段１２０は、利用者側端末５００（例えば、本部端末５１０）からのアクセスにより起動する。このような商品情報入力手段１２０は、利用者側端末５００に、チラシ広告情報（チラシ広告作成に必要な情報）を入力させるようになっている。利用者は、例えば、本部端末５１０が備えるパソコン５１１の入力装置を操作してチラシ広告情報を入力する。
【００３２】
ここで、チラシ広告情報としては、例えば、＜１＞対象となる販売店を特定するための対象販売店情報、＜３＞対象となる期間等の対象期間情報、＜３＞折り込み予定日（配布日）、配布地域、折り込み予定新聞名等の配布情報、＜４＞チラシ広告に掲載する商品の名称（商品名）、価格、文字価格、販売単位、限定数、商品の画像（写真、スケッチ）等の商品情報、＜５＞販売店名、対象期間、各商品等のチラシ広告内での位置やコマの大きさ等のレイアウト情報などが挙げられる。
【００３３】
もちろん、その他、必要に応じて、カラー印刷指定（色数を含む）や、印刷媒体である紙の種類（光沢紙、厚紙等）や大きさを入力（指定）できるようになっていてもよい。
【００３４】
通知手段１３０は、利用者側端末５００により入力されたチラシ広告情報が記憶手段１４０に記憶されたことを広告作成会社側端末４００に通知したり、チラシ広告データ作成手段１５０により作成されたチラシ広告のデータが記憶手段１４０に記憶されたことを利用者側端末５００に通知したりする。
【００３５】
チラシ広告データ作成手段１５０は、広告作成会社側端末４００（パソコン４１０）からのアクセスにより起動する。このようなチラシ広告データ作成手段１５０は、パソコン４１０からの命令に従って、記憶手段１４０に記憶されたチラシ広告情報に基づいたチラシ広告データを作成する。
【００３６】
また、チラシ広告データ作成手段１５０は、利用者が利用者側端末５００によりネットワーク３００を介してチラシ広告データを閲覧している状態にて、そのチラシ広告データを利用者からの修正指示に従って修正することができるようになっている。したがって、本実施形態においては、チラシ広告データ作成手段１５０は、チラシ広告データ修正手段を兼ねていると言える。
【００３７】
データ変換手段１６０は、記憶手段１４０に記憶されたチラシ広告データを印刷用データ（例えば、ＣＳＶデータ）に変換する。
【００３８】
ＰＯＰ広告データ作成手段１７０は、広告作成会社側端末４００からのアクセスにより起動する。このようなＰＯＰ広告データ作成手段１７０は、データ変換手段１６０により変換されたチラシ広告の印刷用データに含まれるＰＯＰデータを抜き出し、抜き出したＰＯＰデータに基づいてＰＯＰ広告（購買時点広告）データを作成する。ここで、ＰＯＰデータとは、主に、チラシ広告に掲載される商品の商品名、生産地、価格等の文字データのことを言う。
【００３９】
記憶手段１４０は、前述したようなチラシ広告情報、チラシ広告データ作成手段１５０により作成（修正）されたチラシ広告データ、データ変換手段１６０により変換されたチラシ広告の印刷用データ、ＰＯＰ広告データ作成手段１７０により作成されたＰＯＰ広告データ、顧客情報等を記憶する。
【００４０】
サーバ２００は、図３に示すようなインターフェース部２１０と、印刷装置選択手段２２０とを有している。
【００４１】
インターフェース部２１０は、各種データの送信および受信を行う通信手段（送信手段および受信手段）を構成するものである。
【００４２】
印刷装置選択手段２２０は、サーバ１００のＰＯＰ広告データ作成手段１７０により作成されたＰＯＰ広告データに基づいて、ＰＯＰ広告を、利用者が有する複数（本実施形態では３台）の印刷装置５１２、５２２、５３２のうちのどの印刷装置から印刷するかを決定する。印刷装置の決定は、例えば、サーバ１００の記憶手段１４０に記憶されたチラシ広告情報に含まれる対象販売店情報に基づいて決定することができる。
【００４３】
より具体的は、例えば、対象販売店情報にて販売店Ａのみが指定されている場合には、印刷装置選択手段２２０は、ＰＯＰ広告を印刷する印刷装置として、販売店Ａに設置された印刷装置５２２を選択する。また、対象販売店情報にて販売店Ａ、Ｂが指定されている場合には、印刷装置選択手段２２０は、ＰＯＰ広告を印刷する印刷装置として、販売店Ａに設置された印刷装置５２２および販売店Ｂに設置された印刷装置５３２を選択する。
【００４４】
利用者側端末５００は、前述したように、本部端末５１０、販売店Ａ端末５２０および販売店Ｂ端末５３０を備えており、これら３つの端末５１０、５２０、５３０は、それぞれ、パソコン５１１、５２１、５３１を備えている。このようなパソコン５１１、５２１、５３１は、それぞれ、モニタを備えており、ネットワーク３００を介してサーバ１００の記憶手段１４０に記憶されたデータ（チラシ広告データ、ＰＯＰ広告データ等）を閲覧する閲覧手段としても機能するものである。
【００４５】
ネットワーク３００は、インターネットである。インターネットは、世界中に張り巡らされたアナログおよびデジタル回線網を介して他の端末と情報の送受信（通信）を可能とするものである。このようなインターネットは、各種サーバのコンピュータとローカルコンピュータの間を結ぶ、ＬＡＮ（Local Area Network）、Dial Up接続等によるデータ通信手段を総称する概念である。
【００４６】
また、ネットワーク３００のアクセス回線としては、例えば、ＦＴＴＨ（Fiber To The Home）、ＨＦＣ（Hybrid Fiber Coax：光同軸ケーブル）、およびＡＤＳＬ（Asymmetric Digital Subscriber Line）等の大容量回線、またはアナログモデムを利用した電話回線、ＰＨＳ、携帯電話等を利用したワイヤレス回線等が利用可能である。
【００４７】
−広告作成の流れ−
以下では、広告作成システム１を用いた広告作成の流れを図４に示すフローチャートに基づいて説明する。また、以下では、説明の便宜上、広告作成業者は、小売業者の本部（販促部）からの依頼を受けてチラシ広告データおよびＰＯＰ広告データをそれぞれ作成し、作成したチラシ広告データに基づいて印刷したチラシ広告を新聞社（配達部）本部に納品するとともに、作成したＰＯＰ広告データを各販売店Ａ、Ｂに設置された印刷装置から印刷する場合について代表して説明する。
【００４８】
［１］まず、本部端末５１０により、チラシ広告情報の入力が行われる（ステップ１）。すなわち、利用者は、本部端末５１０（パソコン５１１）からネットワーク３００を介してサーバ１００にアクセスし、チラシ広告情報入力手段１２０を起動させ、チラシ広告情報入力手段１２０の指示に従って、チラシ広告情報を入力する。
【００４９】
なお、利用者が過去に広告作成業者に対して広告作成を依頼したことがある場合には、その時に入力したチラシ広告情報（例えば、商品の画像や、チラシ広告のレイアウト情報など）を利用することができるようになっていてもよい。
【００５０】
［２］次に、サーバ１００は、本部端末５１０により入力されたチラシ広告情報を記憶手段１４０に記憶するとともに、通知手段１３０によって、当該事実（チラシ広告情報が記憶手段１４０に記憶されたこと）を広告作成会社側端末４００（パソコン４１０）へ通知する（ステップ２）。
【００５１】
［３］上記通知を受けた広告作成会社側端末４００は、ネットワーク３００を介してサーバ１００にアクセスし、チラシ広告データ作成手段１５０を起動させる（ステップ３、４）。起動したチラシ広告データ作成手段１５０は、パソコン４１０の入力装置から入力された命令に従って、記憶手段１４０に記憶されたチラシ広告情報に基づいたチラシ広告データを作成する（ステップ５）。作成されたチラシ広告データとしては、例えば、図５に示すようなものが挙げられる。
【００５２】
［４］次に、サーバ１００は、チラシ広告データ作成手段１５０によって作成されたチラシ広告データを記憶手段１４０に記憶するとともに、通知手段１３０によって、チラシ広告データが作成されたことを本部端末５１０に通知する（ステップ６）。
【００５３】
［５］通知を受けた本部端末５１０（パソコン５１１）は、ネットワーク３００を介してサーバ１００にアクセスし、記憶手段１４０に記憶されたチラシ広告データを閲覧する（ステップ７）。この際、パソコン５１１のモニタには、チラシ広告が表示されるため、利用者は、チラシ広告データが希望通りに作成されているか否かを簡単に確認することができる。
【００５４】
なお、当該閲覧の際、サーバ１００は、パソコン５１１によるチラシ広告データの修正を制限（禁止）するために、パソコン５１１に対して閲覧のみ可能なアクセス権を付与しておくことが好ましい。
【００５５】
［６］次に、広告作成会社側端末４００（パソコン４１０）は、作成したチラシ広告データがパソコン５１１のモニタに表示されている状態（パソコン５１１がサーバ１００にアクセスしている状態）で、ネットワーク３００を介してサーバ１００にアクセスし、チラシ広告データ作成手段１５０を起動させる（ステップ８、９）。
【００５６】
起動したチラシ広告データ作成手段１５０は、パソコン４１０の入力装置から入力された命令に従って、利用者の修正指示通りにチラシ広告を修正する（ステップ１０）。このとき、利用者は、パソコン５１１のモニタに表示された広告データを見ながら、例えば、電話、ＦＡＸ、電子メール等により修正指示を行う。
【００５７】
チラシ広告データの修正時には、パソコン５１１のモニタに、パソコン４１０のモニタに表示されている画像と同じ画像を表示させ、チラシ広告データ作成手段１５０によるチラシ広告の修正の様子がパソコン５１１のモニタに表示されるようになっていてもよい。
【００５８】
また、チラシ広告データ作成手段１５０によるチラシ広告の修正が完了するまでは、パソコン５１１のモニタに修正前のチラシ広告データを表示しておき、チラシ広告データ作成手段１５０によるチラシ広告の修正が完了した時点で、パソコン５１１のモニタに表示を更新し、修正されたチラシ広告データが表示されるようになっていてもよい。
【００５９】
これにより、利用者は、チラシ広告が指示通りに修正されたか否かを、チラシ広告の修正とほぼ同時（リアルタイム）に確認することができる。
【００６０】
チラシ広告データ作成手段１５０は、このような修正をクライアントの最終的な確認が取れるまで繰り返す。
【００６１】
［７］次に、サーバ１００は、データ変換手段１６０によって、利用者の最終的な確認が取れたチラシ広告データを印刷用データ（例えばＣＳＶデータ）に変換する（ステップ１１）。
【００６２】
［８］次に、広告作成会社側端末４００（パソコン４１０）は、ネットワーク３００を介してサーバ１００にアクセスし、ＰＯＰ広告データ作成手段１７０を起動させる（ステップ１２、１３）。起動したＰＯＰ広告データ作成手段１７０は、チラシ広告の印刷用データからＰＯＰデータを抜き出し、抜き出したＰＯＰデータに基づいてＰＯＰ広告データを作成する（ステップ１４）。作成されたＰＯＰ広告データとしては、例えば、図６に示すようなものが挙げられる。
【００６３】
［９］次に、サーバ１００は、作成したＰＯＰ広告データを記憶手段１４０に記憶するとともに、このＰＯＰ広告データをサーバ２００に送信する（ステップ１５）。
【００６４】
［１０］サーバ１００からのＰＯＰ広告データを受信したサーバ２００は、印刷装置選択手段２２０により、当該ＰＯＰ広告データに基づくＰＯＰ広告を利用者側に設置された複数の印刷装置５１２、５２２、５３２のうちのどの印刷装置で印刷するかを選択（決定）する。ここで、本実施形態では、チラシ広告情報が含む対象販売店情報にて販売店Ａと販売店Ｂとが指定されているため、印刷装置選択手段２２０は、販売店Ａに設置された印刷装置５２２および販売店Ｂに設置された印刷装置５３２を選択する。
【００６５】
次いで、サーバ２００は、ネットワーク３００を介して、印刷装置選択手段２２０により選択された印刷装置５２２、５３２から、ＰＯＰ広告データに基づくＰＯＰ広告を印刷する（ステップ１６、１７）。これにより、販売店Ａおよび販売店Ｂは、それぞれ、自動的にＰＯＰ広告を得ることができる。
【００６６】
広告作成会社側端末４００は、ＰＯＰ広告の作成（ステップ１２〜ステップ１７）とは別に、記憶手段１４０に記憶されたチラシ広告の印刷用データを印刷装置４２０から印刷する（ステップ１８）。これにより、クライアントの希望通りのチラシ広告を得ることができる。このときの印刷枚数は、記憶手段１４０に記憶されたチラシ広告情報が含む配布情報に基づいて決定される。
【００６７】
なお、このようなステップ１８は、ＰＯＰ広告の作成（ステップ１２〜ステップ１７）と並行して行ってもよいし、ＰＯＰ広告の作成（ステップ１２〜ステップ１７）よりも先に行ってもよい。
【００６８】
広告作成会社は、得られたチラシ広告を、記憶手段１４０に記憶された配布情報に基づいて、所定の新聞社（新聞配達部）に所定部数、折り込み用のチラシ広告として納品する。また、これとは別に、サンプルとして、クライアントに所定部数納品してもよい。
【００６９】
以上、広告作成システム１によるクライアントからの広告作成依頼から広告納品までの流れを説明した。このような広告作成システム１によれば、利用者がネットワークを介してチラシ広告データを閲覧している状態にて、そのチラシ広告データを修正することができるため、利用者の指示通りにチラシ広告が修正されたか否かの確認を、リアルタイムで（修正とほぼ同時に）得ることができる。そのため、広告作成業者は、利用者の要望通りのチラシ広告を円滑かつ短時間に作成することができる。
【００７０】
また、広告作成システム１によれば、利用者の確認を得るために作成したチラシ広告データに基づくチラシ広告を印刷したり、印刷したチラシ広告を郵送したりする必要がない。そのため、チラシ広告作成費用の低減（コストダウン）を図ることができる。
【００７１】
また、広告作成システム１によれば、チラシ広告の印刷用データを用いてＰＯＰ広告を作成するようになっているため、例えば、同じ商品についてチラシ広告の価格とＰＯＰ広告の価格とが異なるといった二重価格（ダブルプライス）の発生を防止することができる。
【００７２】
また、広告作成システム１によれば、ＰＯＰ広告データ作成手段により作成されたＰＯＰ広告データに基づくＰＯＰ広告が、販売店Ａ、Ｂに設定された印刷装置から自動的に印刷される。そのため、販売店Ａ、Ｂは、何もせずにＰＯＰ広告を得ることができ、仕事効率が向上し、人件費削減等を図ることができる。
【００７３】
以上、本発明の広告作成システムを図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００７４】
また、前述した実施形態では、２つのサーバを用いたものについて説明したが、必要な機能を有していればサーバの数は特に限定されず、１つでもよいし、３つ以上であってもよい。
【図面の簡単な説明】
【００７５】
【図１】本発明の好適な実施形態にかかる広告作成システムの基本構成を示す図である。
【図２】図１に示すサーバ等のハードウェア構成を示すブロック図である。
【図３】図１に示すサーバの構成を示すブロック図である。
【図４】広告作成の流れを説明するためのフローチャートである。
【図５】チラシ広告データ作成手段により作成されるチラシ広告の一例を示す図である。
【図６】ＰＯＰ広告データ作成手段により作成されたＰＯＰ広告の一例を示す図である。
【符号の説明】
【００７６】
１        広告作成システム
１００    サーバ
１１０    インターフェース部
１２０    商品情報入力手段
１３０    通知手段
１４０    記憶手段
１５０    チラシ広告データ作成手段
１６０    データ変換手段
１７０    ＰＯＰ広告データ作成手段
２００    サーバ
２１０    インターフェース部
２２０    印刷装置選択手段
３００    ネットワーク
４００    広告作成会社側端末
４１０    パーソナルコンピュータ
４２０    印刷装置
５００    利用者側端末
５１０    本部端末
５１１    パーソナルコンピュータ
５１２    印刷装置
５２０    販売店Ａ端末
５２１    パーソナルコンピュータ
５２２    印刷装置
５３０    販売店Ｂ端末
５３１    パーソナルコンピュータ
５３２    印刷装置
【図１】
2010015400.tif 000003
【図２】
2010015400.tif 000004
【図３】
2010015400.tif 000005
【図４】
2010015400.tif 000006
【図５】
2010015400.tif 000007
【図６】
2010015400.tif 000008